(57)【要約】【課題】寝ている間に背骨を伸ばす作用を及ぼし、通気性が良いため夏は涼しく、空気層を有するため冬は暖かい寝具用敷マット１、１１であって、耐久性が高く肌触りが良くいやな臭いがつかない寝具用敷マット１、１１を得ることにある。【解決手段】外径８１ｍｍの８本の紙管５を、管５の両端を揃えて一行に横に並べ、隣り合う管同士をバネクリップ７で結合した紙管の連結体とし、消臭シート９を使用して紙管の連結体を一周巻いて包むことにより消臭紙管連結体６とし、布の袋８に消臭紙管連結体６を入れて紙管マット部２とする。さらに３個の紙管マット部２ａ、２ｂ、２ｃを並べてマジックテープ１２を使用して連結した寝具用敷マット１とする。また連結した３つの袋であって片方の連結部１１ａが底面にあって他方の連結部１１ｂが上面にある袋のそれぞれに、消臭紙管連結体６を１個ずつ入れた寝具用敷マット１１とする。【選択図】図１
2008259780.tif 000002
【特許請求の範囲】
【請求項１】
外径６０〜１００ｍｍの複数本の管を、管の長手方向を前後に向け、管の両端を揃えて１行にして横に並べ、隣り合う管同士を結合することにより管の連結体とし、さらに前記管の連結体において、前記複数本の管に接する平面である上下面又は前記複数の管で構成した波形面である上下面（以下単に「連結体上下面」という。）の、少なくとも上下いずれか片側の面に消臭シートを設けたことを特徴とする消臭管連結体。
【請求項２】
請求項１に記載した消臭管連結体において、管の連結体の左右の両側面であって、半円柱の曲面形状を有する面（以下単に「連結体曲側面」という。）と連結体上下面とを消臭シートで巻いて包んだことを特徴とする消臭管連結体。
【請求項３】
請求項１又は請求項２のいずれかに記載した消臭管連結体において、管の長さが６００〜１８００ｍｍであることを特徴とする消臭管連結体。
【請求項４】
請求項１〜請求項３のいずれかに記載した消臭管連結体において、管が紙の管（以下単に「紙管」という。）であることを特徴とする消臭紙管連結体。
【請求項５】
請求項４に記載した消臭紙管連結体であって、紙管の肉厚が３〜６ｍｍであることを特徴とする消臭紙管連結体。
【請求項６】
請求項１〜請求項５のいずれかに記載した消臭管連結体又は消臭紙管連結体を袋に封入したことを特徴とする管マット部又は寝具用敷マット。
【請求項７】
請求項６に記載した管マット部を３個並べ、管マット部同士を分離可能に連結してなることを特徴とする寝具用敷マット。
【請求項８】
請求項６に記載した管マット部を連結して３個並べ、中央の管マット部に対して片方の管マット部が底面で連結し、他方の管マット部が上面で中央のマット部に対して連結してなることを特徴とする寝具用敷マット。
【発明の詳細な説明】
【技術分野】
【０００１】
本発明は、寝ている間に背骨を伸ばす作用を及ぼし、通気性が良いため夏は涼しく、空気層を有するため冬は暖かく、耐久性が高く、肌触りが良く、いやな臭いがつかないという特徴を有する寝具用敷マットに関するものである。
【背景技術】
【０００２】
従来の発明には、背骨の矯正やツボの刺激などにより健康の増進を図ることを目的に、丸竹や割竹を多数本並べて紐で連結した竹製寝床敷の考案があった（例えば、特許文献１参照。）。しかしかかる考案には、竹が割れやすく耐久性に欠ける問題と、竹の節や紐が体に当たるため体が局部的に痛くなる問題と、肌触りが悪い問題があった。
またヘルシーライフシステムがヘルスウェーブという名称で波形状の凹凸を有する敷マットを販売しているが、この商品を使ってみたところ強さに欠けていて、おしりが載る部分が凹んでしまうため、腰と背骨に負担がかかる問題があった。
そこで本願の発明者は様々な材質と形状の寝具用敷マットを試作し、自らその上で寝ることにより効果を確認するという、試行錯誤の実験を重ねた結果本願発明を得ることができたものである。
【特許文献１】実開平０５−７６３６８号公報
【発明の開示】
【発明が解決しようとする課題】
【０００３】
本発明は、寝ている間に背骨を伸ばす作用を及ぼし、通気性が良いため夏は涼しく、空気層を有するため冬は暖かい寝具用敷マットであって、耐久性が高く肌触りが良くいやな臭いがつかないという特徴を有する寝具用敷マットを得ることにある。
【課題を解決するための手段】
【０００４】
複数本の管を、管の長手方向を前後に向けて管の両端を揃えて横に並べ、隣り合う管同士を結合して管の連結体を得る。そして管の連結体において、複数本の管に接する平面である上下面又は複数の管で構成した波形面である上下面（以下単に「連結体上下面」という。）の、少なくとも上下いずれか片側の面に消臭シートを取り付けて消臭管連結体とする。
また比較的少数の管を有する消臭管連結体を小さな袋に封入した管マット部として、管マット部を３個連結して寝具用敷マットとする。さらに比較的多数の管を有する消臭管連結体を大きな袋に入れることにより、これ単独で寝具用敷マットとする。
また紙の管（以下単に「紙管」という。）を使用した消臭紙管連結体、紙管マット部又は寝具用敷マットとする。
【発明の効果】
【０００５】
人がその上で寝たときに、適切な間隔で体を支える寝具用敷マットとしたので、管の頂点に支持された部分を中心として、支持された部分の両側の体の部分が下がろうとするため、自然に背骨を伸ばす方向に力を与える効果を得ることができた。
また消臭シートを有する消臭管連結体、消臭紙管連結体、管マット部、紙管マット部及び寝具用敷マットとしたので、長期に使用しても汗や体臭などのいやな臭いがつくことはなく、いつまでも快適に使用することができる効果があった。  
また、寝具用敷マットの中に適切な空気の層が構成されるので、夏には人の体が発する汗を空気層が吸収して涼しく、冬は空気層が断熱効果を発揮して暖かいという効果を得ることができた。
また紐を使用せず竹のように節がないので局部的に体が痛くなることがなく、耐久性が高く、おしりが載る部分が凹むことがないので腰や背骨に負担がかかることがないという効果を得ることができた。
特に適度の堅さを有する紙管を使用した寝具用敷マットは軽くて紙管の入手が容易であるため、敷いたりたたんだりするときの取り扱いが楽であって、安価に製造できるという効果を得ることができた。
さらに管が変形することがないため適切な姿勢で寝ることができると共に、寝返りがうちやすく何回寝返りをうっても疲れることがなく、安眠できるため疲労を回復する効果を得ることができた。
【発明を実施するための最良の形態】
【０００６】
外径６０〜１００ｍｍの複数本の管を、管の長手方向を前後に向け、管の両端を揃えて１行にして横に並べ、隣の管同士を結合することにより管の連結体とし、さらに管の連結体において、複数本の管に接する平面である上下面又は複数の管で構成した波形面である上下面（以下単に「連結体上下面」という。）の、少なくとも上下いずれか片側の面に消臭シートを設けた消臭管連結体とする。
管の外径が６０ｍｍ未満では体を支持する間隔が小さ過ぎ、１００ｍｍを越えると体を支持する間隔が大き過ぎる、適当な間隔を試したところ６０〜１００ｍｍの間隔が好ましく、７５〜８５ｍｍの間隔が最も好ましかったからである。
管の材質としてはプラスチック、鋼鉄やステンレスやアルミ合金などの金属材料さらには紙などは好ましい。人がその上に寝たときに変形しない程度の強度を有する範囲で管の肉厚を薄くすることが好ましい。管の肉厚を厚くするにしたがい寝具用敷マットが重くなり取り扱いが困難になるからである。
隣り合う管同士を連結する方法には、バネ鋼の板材や棒材を折り曲げたバネクリップなどを使用して管の端部を連結する方法、接着剤で接着する方法、バネクリップと接着剤を併用する方法、溶接する方法など好ましく使用する材料に合わせて適宜選択する。接着剤を使用する場合には過敏な人が使用する場合や安全性を考慮して、ホルムアルデヒドを含まない接着剤を使用することが好ましい。
消臭シートを管に巻き付けた後に管を連結する方法と管を連結してから消臭シートを取り付ける方法とあるがいずれの方法でも構わない。また消臭シートを連結体上下面の両方に設ける方法と、いずれか片面のみに消臭シートを設けて、消臭シートを取り付けた面を人が載る使用面とする方法もある。
消臭シートとしては不織布や織布に消臭剤を含ませたシート、木炭や竹炭の成分を含ませたりコーティングしたシートなどが好ましい。消臭シートは管に接するようにして平面の消臭シートを載せるだけでもよいし、管の連結体の波形状に合わせて波形面の防臭シートを接着材で接着して取り付けることも好ましい。
【０００７】
上記した消臭管連結体において、管の連結体の左右の両側面であって、半円柱の曲面形状を有する面（以下単に「連結体曲側面」という。）と連結体上下面とを消臭シートで巻いて包んだ消臭管連結体とする。
消臭シートは管に人の体臭や汗の臭いが付かないようにするものであり、管の端面で構成する前後面はほとんど空間ばかりであるため、連結体曲側面と連結体上下面とを防臭シートで包んだものである、もちろん管の前後面を一緒に包むことを除くものではない。
上記したいずれかの消臭管連結体において、管の長さが６００〜１８００ｍｍである消臭管連結体とする。寝具用敷きマットの幅は子供用なら６００〜９００ｍｍ、大人のシングル用であれば９００〜１４００ｍｍ、ダブル用であれば１４００〜１８００ｍｍとすることが好ましいからである。
上記したいずれかに記載した消臭管連結体において、管が紙管である消臭紙管連結体とする。試作した寝具用敷マットの中で、紙管を使用した寝具用敷マットが最も肌触りがよく、しかも重量が軽く安価であったからである。
消臭紙管連結体であって、紙管の肉厚が３〜６ｍｍである消臭紙管連結体とする。大多数の人を対象にした場合、おしりの部分を支持する中央部については６ｍｍの肉厚の紙管を使用し、上半身と足の部分を支持する部分については３ｍｍの肉厚の紙管を使用すれば十分使用に耐えることができるからである。特に体重の重い人が使う場合は紙管の肉厚を厚くし、体重の軽い人が使用する場合は紙管の肉厚を薄くすることも可能である。
【０００８】
上記したいずれかに記載した消臭管連結体又は消臭紙管連結体を袋に封入した管マット部又は寝具用敷マットとする。
袋の幅は使用する管の長さに合わせた幅とする。ベットに取り付ける寝具用敷マットの場合は、長さが１５００〜２１００ｍｍの袋に入れて一体の寝具用敷きマットとして使用することができる。また部屋に敷いたり押し入れに収納したりする場合は、長さが５００〜７００ｍｍの袋に入れてこれを管マット部とし、管マット部を３個並べて寝具用敷きマットとして使用することができる。
上記した管マット部を３個並べ、管マット部同士を分離可能に連結してなる寝具用敷マットとする。
管マット部を分離可能に連結する方法には、マジックテープ（登録商標以下同じ。）を使用して連結する方法や、ベルトとバックルの組み合わせを使用する方法や、ボタンとボタン穴の組み合わせやホックなどの留め金を使用する方法がある。
また上記した管マット部を３個並べ、中央の管マット部に対して片方の管マット部が底面で連結し、他方の管マット部が上面で中央のマット部に対して連結してなる寝具用敷マットとする。
連結した３つの袋であって片方の連結部が底面にあって他方の連結部が上面にある袋のそれぞれに、消臭管連結体又は消臭紙管連結体を入れて３個の管マット部を構成すると、２カ所の連結部で折り曲げ可能な１枚の寝具用敷マットを得ることができる。
この寝具用敷マットは中央の管マット部に対して、片方の管マット部を下に折りたたみ、他方の管マット部を上に折りたたむことができるため、３個の管マット部を３重に重ねて収納することができる。
【実施例１】
【０００９】
以下本発明の実施例１を図１〜図３に示し説明する。本実施例では外径８１ｍｍ長さ１０００ｍｍの紙管５を使用し、おしりが載る中央部の紙管マット部２には肉厚が６ｍｍの紙管５を使用し、その他の紙管マット部２には肉厚が３ｍｍの紙管５を使用した。
８本の紙管５を端面を揃えて一列に横に並べ、紙管５同士が接触する部分の両側の端部である接触端部６ｂにバネクリップ７を取り付け、念のために紙管同士が接触する面にホルムアルデヒドを含まない接着剤を塗布することにより、８本の紙管を連結してなる紙管の連結体を構成した。
また不織布のシートに竹炭微粉末をコーティングした厚さ１ｍｍの消臭シート９を使用して、消臭シート９で紙管の連結体の連結体上下面６ａと連結体曲側面６ｃを一周巻いて包むことにより概略幅１０００ｍｍ×長さ６５０ｍｍの消臭紙管連結体６とした。
さらにチャック８ａを有する木綿の布の袋８に消臭紙管連結体６を入れてチャック８ａを閉じることにより、概略幅１０００ｍｍ×長さ６５０ｍｍの紙管マット部２としたものである。
【実施例２】
【００１０】
本発明の実施例２について図４に示し説明する。本実施例は３個の紙管マット部２ａ、２ｂ、２ｃを並べて、紙管マット部２ａと紙管マット部２ｂの間及び紙管マット部２ｂと紙管マット部２ｃの間をマジックテープ１２を使用して連結して、一枚の寝具用敷マット１を構成したものである。  
本実施例では、おしりの載る範囲の紙管マット部２ｂの中に入れた紙管５は厚さ６ｍｍの紙管５とし、上半身と下半身が載る範囲の紙管マット部２ａ、２ｃの中に入れた紙管５は厚さ３ｍｍの紙管５としたので、おしりの部分が凹むことがなく腰や背骨に負担がかからない。
また紙管５を使用したので肌触りが良く気持ちよい感覚を得ることができた。そして紙管５の間隔が体に適した間隔であるので、優しく背骨を伸ばす力を与える効果が得られた。さらに紐を使用せず竹のように節がないので局部的に体が痛くなることがない。
また消臭シート９を有する寝具用敷マット１としたので、長期に使用してもいやな臭いがつくことはなく、いつまでも快適に使用することができる。そして寝具用敷マット１の紙管５の中や紙管５と消臭シート９との間に適切な空気の層が構成されるので、夏には体が発する汗を空気層が吸収して涼しく、冬は空気層が断熱効果を発揮して暖かいという効果を得ることができた。
さらに本実施例の寝具用敷マット１は軽くて安価であるため取り扱いが容易であって、変形することがないため適切な姿勢で寝ることができ、寝返りがうちやすく何回寝返りをうっても疲れることがないため、安眠と疲労を回復する効果を得ることができた。
さらにまたマジックテープ１２を外すと３個の個別の紙管マット部２ａ、２ｂ、２ｃになるので、３個の紙管マット部２ａ、２ｂ、２ｃを３段に重ねて収納したり、３個の紙管マット部２ａ、２ｂ、２ｃを別々に分けて収納することができるため便利である。
【実施例３】
【００１１】
本発明の実施例３について図５に示し説明する。本実施例は連結した３つの袋であって片方の連結部１１ａが底面にあって他方の連結部１１ｂが上面にあるようにした袋のそれぞれに、消臭紙管連結体６を１個ずつ入れて連結した３個の管マット部２ｄ、２ｅ、２ｆとすると、２カ所の連結部１１ａ、１１ｂで折り曲げ可能な１枚の寝具用敷マット１１を得ることができる。
この寝具用敷マットは中央の管マット部２ｅに対して、片方の管マット部２ｄを下に折りたたみ、他方の管マット部２ｆを上に折りたたむことができるため、３個の管マット部２ｄ、２ｅ、２ｆを３重に重ねて収納することができる。
本実施例では、おしりの載る範囲の紙管マット部２ｅの中に入れた紙管５は厚さ６ｍｍの紙管５とし、上半身と下半身が載る範囲の紙管マット部２ｄ、２ｆの中に入れた紙管５は厚さ３ｍｍの紙管５としたので、おしりの部分が凹むことがなく腰や背骨に負担がかからない。
また紙管５を使用したので肌触りが良く気持ちよい感覚を得ることができた。そして紙管５の間隔が体に適した間隔であるので、優しく背骨を伸ばす力を与える効果が得られた。さらに紐を使用せず竹のように節がないので局部的に体が痛くなることがない。
また消臭シート９を有する寝具用敷マット１１としたので、長期に使用してもいやな臭いがつくことはなく、いつまでも快適に使用することができる。そして寝具用敷マット１１の紙管５の中や紙管５と消臭シート９との間に適切な空気の層が構成されるので、夏には体が発する汗を空気層が吸収して涼しく、冬は空気層が断熱効果を発揮して暖かいという効果を得ることができた。
さらに本実施例の寝具用敷マット１１は軽くて安価であるため取り扱いが容易であって、変形することがないため適切な姿勢で寝ることができ、寝返りがうちやすく何回寝返りをうっても疲れることがないため、安眠と疲労を回復する効果を得ることができた。
さらにまた２カ所の連結部１１ａ、１１ｂで折りたたむことにより、３個の紙管マット部２ｄ、２ｅ、２ｆを３段に重ねた状態にして、持ち運んだり収納することができるため便利である。
【産業上の利用可能性】
【００１２】
本発明は寝具用敷マットを製造販売する産業や、病人や老人や障害者などを収容して治療や世話や介護などのサービスを提供する産業や、あんまやマッサージや整体やカイロプラティックなどのサービスを提供する産業でも利用される。
【図面の簡単な説明】
【００１３】
【図１】実施例１の消臭紙管連結体の斜視図である。
【図２】図１の紙管の接触端部にバネクリップを取り付けた状態を示す平面視の部分断面図である。
【図３】実施例１の紙管マット部の斜視図である。
【図４】実施例２の寝具用敷マットの斜視図である。
【図５】実施例３の寝具用敷マットの斜視図である。
【符号の説明】
【００１４】
１  ：寝具用敷マット          ２  ：紙管マット部          ２ａ：紙管マット部
２ｂ：紙管マット部            ２ｃ：紙管マット部          ２ｄ：紙管マット部
２ｅ：紙管マット部            ２ｆ：紙管マット部          ５  ：紙管
６  ：消臭紙管連結体          ６ａ：連結体上下面          ６ｂ：接触端部
６ｃ：連結体曲側面            ７  ：バネクリップ          ８  ：袋
８ａ：チャック                ９  ：消臭シート          １１  ：寝具用敷マット
１１ａ：連結部                １１ｂ：連結部              １２  ：マジックテープ
【図１】
2008259780.tif 000003
【図２】
2008259780.tif 000004
【図３】
2008259780.tif 000005
【図４】
2008259780.tif 000006
【図５】
2008259780.tif 000007